(57)【要約】 【課題】  カード用発行機内での搬送、データ書き込み、および印字処理の際、嵌め込まれたＩＣタグがアタッチメントから脱落するのを防止し、発行処理を正常に実施することが可能な非接触ＩＣタグおよびＩＣタグ用アタッチメントならびに非接触ＩＣタグの発行方法を提供する。【解決手段】  少なくとも１個以上の抜き穴部を、その平面部分に有し、前記抜き穴部６ａに非接触ＩＣタグ１が保持されるＩＣタグ用アタッチメント５であって、前記抜き穴部の側面は、少なくとも１領域以上の傾斜領域あるいは曲面領域を有した形状であるＩＣタグ用アタッチメントとする。【選択図】  図１
2005107834.tif 000002
【特許請求の範囲】
【請求項１】
アンテナコイルおよびＩＣチップからなり、非接触でデータの読み出しおよび書き込みが可能で、かつ、その片面または両面に印字、消去および再印字が可能なリライト層を有した非接触ＩＣタグであって、側面に少なくとも１領域以上の傾斜領域あるいは曲面領域を有することを特徴とする非接触ＩＣタグ。
【請求項２】
前記傾斜領域あるいは曲面領域は、非接触ＩＣタグの平面に平行な方向に対して突起形状であることを特徴とする請求項１に記載の非接触ＩＣタグ。
【請求項３】
前記傾斜領域あるいは曲面領域は、非接触ＩＣタグの平面に平行な方向に対して、くぼみ形状であることを特徴とする請求項１に記載の非接触ＩＣタグ。
【請求項４】
少なくとも１個以上の抜き穴部を、その平面部分に有し、前記抜き穴部に非接触ＩＣタグが保持されるＩＣタグ用アタッチメントであって、前記抜き穴部の側面は、前記非接触ＩＣタグとはめ合いができる少なくとも１領域以上の傾斜領域あるいは曲面領域を有した形状であることを特徴とするＩＣタグ用アタッチメント。
【請求項５】
前記傾斜領域あるいは曲面領域の形状は突起形状であって、装着される非接触ＩＣタグの側面の形状と合致する形状としたことを特徴とする請求項４記載のＩＣタグ用アタッチメント。   
【請求項６】
前記傾斜領域あるいは曲面領域の形状は、くぼみ形状であって、装着される非接触ＩＣタグの側面の形状と合致する形状としたことを特徴とする請求項４記載のＩＣタグ用アタッチメント。 
【請求項７】
少なくとも１個以上の切り込み部を、その外郭部に有し、前記切り込み部に非接触ＩＣタグが保持されるＩＣタグ用アタッチメントであって、前記切り込み部の側面は、前記非接触ＩＣタグと、はめ合いができる少なくとも１領域以上の傾斜領域あるいは曲面領域を有した形状であることを特徴とするＩＣタグ用アタッチメント。
【請求項８】
前記傾斜領域あるいは曲面領域の形状は、突起形状であって、装着される非接触ＩＣタグの側面の形状と合致する形状としたことを特徴とする請求項７記載のＩＣタグ用アタッチメント。   
【請求項９】
前記傾斜領域あるいは曲面領域の形状は、くぼみ形状であって、装着される非接触ＩＣタグの側面の形状と合致する形状としたことを特徴とする請求項７記載のＩＣタグ用アタッチメント。  
【請求項１０】
請求項１ないし３のいずれかに記載の非接触ＩＣタグの発行方法であって、前記非接触ＩＣタグを、請求項４ないし７のいずれかに記載のＩＣタグ用アタッチメントに装着し、カード用発行機を使用して、非接触ＩＣタグへのデータ書き込みまたは書き換えを行うことを特徴とする非接触ＩＣタグの発行方法。
【請求項１１】
請求項１ないし３のいずれかに記載の非接触ＩＣタグの発行方法であって、前記非接触ＩＣタグを、請求項４ないし７のいずれかに記載のＩＣタグ用アタッチメントに装着し、非接触ＩＣタグの表面への印字または消去および再印字を行うことを特徴とする非接触ＩＣタグの発行方法。
【発明の詳細な説明】
【技術分野】
【０００１】
本発明は、アンテナコイルおよびＩＣチップで構成され、電磁結合方式、電磁誘導方式、または電波方式等により非接触でデータの書き込みおよび読み出しを行う非接触ＩＣタグおよびＩＣタグ用アタッチメントならびにその発行方法に関する。
【背景技術】
【０００２】
近年、商品管理などのための個体識別に際し、その商品の管理情報を記憶し、非接触でデータの書き込みおよび読み出しを行うデータキャリア、ＲＦＩＤ（Radio  Frequency  Identification）、無線タグ、またはＩＣタグと呼称される通信媒体が普及しつつある。
【０００３】
図１０は、従来の非接触ＩＣタグの構成を示す平面図である。従来、図１０に示すように、この種の非接触ＩＣタグ１（以下、ＩＣタグと称す）は、ポリ塩化ビニール（ＰＶＣ）やポリエチレンテレフタート（ＰＥＴ）等のプラスチック材料とホットメルトあるいは熱硬化型接着剤等を組み合せた基材や、粘着剤を塗布した合成紙等の紙基材の貼り合わせにより、アンテナコイル２およびＩＣチップ３を埋設または内包することにより構成されていた。
【０００４】
これらの基材は、アンテナコイル２およびＩＣチップ３を一組とした複数のタグ要素４を整列配置させ埋設した３９０ｍｍ×２６０ｍｍほどのシート状のものからなり、タグ要素４が存在する箇所のシート表面上に、商品名の文字やバーコード等の情報を印刷し、さらに、個々のタグ要素４を所定のタグ形状、すなわち最終的に図１０に示すような一組のアンテナコイル２およびＩＣチップ３が埋設された状態となるように打ち抜き加工して製造していた。この種の製造方法に関して、例えば、特許文献１が例として挙げられる。
【０００５】
【特許文献１】特開２００２−１９０００３号
【発明の開示】
【発明が解決しようとする課題】
【０００６】
しかし、前述した従来のＩＣタグ１は、同様に一般化しつつある非接触型ＩＣカード等の形状に比較して、２０ｍｍ×２０ｍｍほどの小さい形状のために取り扱いが難しく、発行機で印字処理をする場合、その発行機の搬送、位置決めおよび抑え機構は複雑な構造となり部品点数も増えるため設計が非常に困難なことから、搬送系の異常や印字不良等が発生しやすく、現状では印字自体が困難なものとなっている。そのため、個々の商品アイテムに対する商品名の文字やバーコード等の個別情報をＩＣタグ１表面にあらかじめ印刷し、その後、発行機にＩＣタグ１をセットして、その印刷情報に対応するデータをＩＣチップ３に書き込むという方法でＩＣタグ１の発行処理を実施していた。
【０００７】
そのため、ＩＣタグ１に印刷された商品情報と発行時におけるＩＣチップ３への電気的書き込みデータはオフライン化されてしまい、ＩＣタグ１に印刷された商品情報とＩＣチップ３に書き込むデータとの不一致が発生しやすく発行ミスの要因となっていた。
【０００８】
また、従来のＩＣタグ１を用いた商品管理は、原則的に一つの商品アイテムに対して一つのタグを対応させて行われており、ＩＣタグ１自体は使い捨てを前提として表面に商品情報を印刷してしまうので再利用することはできなかった。
【０００９】
これらの問題点を改善するために、図１１に示すように、以下の方法が試みられた。すなわち、複数のタグ要素４を埋設してなるリライト層９を有したカード形状の基体を構成し、カード用発行機１１を利用してＩＣチップ３へのデータ書き込みおよび印字を行い、このカード形状基体からタグ要素４を離脱して個々のＩＣタグ３として使用し、さらに使用済みのＩＣタグ１を別のカード形状アタッチメント５に装着して再度データの書き換えおよび再印字による再発行処理を行い、ＩＣタグ１の再利用を可能にするというものである。前述の方法により、印刷または印字によるＩＣタグ１の表面に記載された情報とＩＣチップ３書き込みデータとの不一致による発行ミスは改善され一定の効果を得た。
【００１０】
しかし、その一方で、これら使用済みＩＣタグ１を再利用する場合において、ＩＣタグ用アタッチメント５に嵌め込まれたＩＣタグ１がカード用発行機１１での発行処理過程で脱落するという問題が生じていた。すなわち、図９に示すようにＩＣタグ用アタッチメント５によるＩＣタグ１の保持は、ＩＣタグ用アタッチメント５の抜き穴部６ａの垂直内壁面と、嵌め込んだＩＣタグ１の垂直端面との接触面における摩擦抵抗力に依存しており、ＩＣタグ用アタッチメント５の使用頻度およびＩＣタグ１の再利用回数が増すと、これら壁面に摩耗あるいは変形が生じ、発行処理時の搬送系の抑え圧力または印字圧力に抗する摩擦抵抗力が得られないため、ＩＣタグ１はＩＣタグ用アタッチメント５から脱落し正常に処理することが困難であった。
【００１１】
従って、本発明の技術的課題は、カード形状アタッチメントに嵌め込まれ、その表面にリライト層を有した使用済みＩＣタグの再発行処理または新規ＩＣタグの発行処理において、カード用発行機内での搬送、データ書き込み、および印字処理の際、嵌め込まれたＩＣタグがカード形状アタッチメントから脱落するのを防止し、発行処理を正常に実施することが可能な非接触ＩＣタグおよびＩＣタグ用アタッチメントならびに非接触ＩＣタグの発行方法を提供することである。
【課題を解決するための手段】
【００１２】
本発明は、ＩＣタグをカード形状アタッチメントの抜き穴部もしくは切り込み部に嵌め込んだ後、発行処理過程でのＩＣタグの脱落を防止する形状となるようにＩＣタグの端面、およびカード形状アタッチメントの抜き穴部の内壁面もしくは切り込み部の内壁面を加工して上記課題を解決しようとするものである。
【００１３】
上記課題を解決するために、本発明は、アンテナコイルおよびＩＣチップからなり、非接触でデータの読み出しおよび書き込みが可能で、かつ、その片面または両面に印字、消去および再印字が可能なリライト層を有した非接触ＩＣタグであって、当該タグ形状と同形の少なくとも１つ以上の抜き穴部もしくは切り込み部を有したカード形状アタッチメントにこれを嵌め込み、カード用発行機を使用して発行処理される非接触ＩＣタグにおいて、嵌め込んだ非接触ＩＣタグがカード形状アタッチメントの抜き穴部もしくは切り込み部から脱落しない形状に加工された非接触ＩＣタグおよびカード形状アタッチメントである。
【００１４】
即ち、本発明は、アンテナコイルおよびＩＣチップからなり、非接触でデータの読み出しおよび書き込みが可能で、かつその片面または両面に印字、消去および再印字が可能なリライト層を有した非接触ＩＣタグであって、側面に少なくとも１領域以上の傾斜領域あるいは曲面領域を有し、ＩＣタグ用アタッチメントに、前記傾斜領域あるいは曲面領域を利用して保持される非接触ＩＣタグである。
【００１５】
また、本発明は、前記傾斜領域あるいは曲面領域は、非接触ＩＣタグの平面に平行な方向に対して、突起形状である非接触ＩＣタグである。
【００１６】
また、本発明は、前記傾斜領域あるいは曲面領域は、非接触ＩＣタグの平面に平行な方向に対して、くぼみ形状である非接触ＩＣタグである。
【００１７】
また、本発明は、少なくとも１個以上の抜き穴部を、その平面部分に有し、前記抜き穴部に非接触ＩＣタグが保持されるＩＣタグ用アタッチメントであって、前記抜き穴部の側面を、非接触ＩＣタグの側面と、はめ合いができる少なくとも１領域以上の傾斜領域あるいは曲面領域を有した形状とするＩＣタグ用アタッチメントである。
【００１８】
また、本発明は、前記傾斜領域あるいは曲面領域の形状は、突起形状であって、装着される非接触ＩＣタグの側面の形状と合致する形状としたＩＣタグ用アタッチメントである。   
【００１９】
また、本発明は、前記傾斜領域あるいは曲面領域の形状は、くぼみ形状であって、装着される非接触ＩＣタグの側面の形状と合致する形状としたＩＣタグ用アタッチメントである。   
【００２０】
また、本発明は、少なくとも１個以上の切り込み部を、その外郭部に有し、前記切り込み部に非接触ＩＣタグが保持されるＩＣタグ用アタッチメントであって、前記切り込み部の側面を、非接触ＩＣタグの側面と、はめ合いができる少なくとも１領域以上の傾斜領域あるいは曲面領域を有した形状とするＩＣタグ用アタッチメントである。
【００２１】
また、本発明は、前記傾斜領域あるいは曲面領域の形状は、突起形状であって、装着される非接触ＩＣタグの側面の形状と合致する形状としたＩＣタグ用アタッチメントである。   
【００２２】
また、本発明は、前記傾斜領域あるいは曲面領域の形状は、くぼみ形状であって、装着される非接触ＩＣタグの側面の形状と合致する形状としたＩＣタグ用アタッチメントである。  
【００２３】
また、本発明は、前記非接触ＩＣタグの発行方法であって、前記非接触ＩＣタグを、前記ＩＣタグ用アタッチメントに装着し、カード用発行機を使用して、非接触ＩＣタグへのデータ書き込みまたは書き換えを行う非接触ＩＣタグの発行方法である。
【００２４】
また、本発明は、前記非接触ＩＣタグの発行方法であって、前記非接触ＩＣタグを、前記ＩＣタグ用アタッチメントに装着し、非接触ＩＣタグの表面への印字または消去および再印字を行う非接触ＩＣタグの発行方法である。
【発明の効果】
【００２５】
本発明の非接触ＩＣタグおよびＩＣタグ用アタッチメントならびに非接触ＩＣタグの発行方法によれば、使用済みＩＣタグの再発行処理または新規ＩＣタグの発行処理において、ＩＣタグの端面およびカード形状アタッチメントの抜き穴部もしくは切り込み部の内壁面を、テーパ形状あるいは一方が凸の突起形状で他方が凹のくぼみ形状とし、各々が合致するように加工したので、カード用発行機内での搬送、データ書き込みおよび印字処理の際、嵌め込まれたＩＣタグがＩＣタグ用アタッチメントから脱落するのを防止して、発行処理を正常に実施する効果が得られる。
【発明を実施するための最良の形態】
【００２６】
以下、本発明の非接触ＩＣタグおよびＩＣタグ用アタッチメントならびに非接触ＩＣタグの発行方法について、説明する。
【００２７】
（実施の形態１）
図１は、本発明の実施の形態１によるＩＣタグ１およびＩＣタグ用アタッチメント５の上部平面図である。ＩＣタグ用アタッチメント５には、ＩＣタグ１の外形と合致する抜き穴部６ａが３箇所形成されており、この抜き穴部６ａに対して、ＩＣタグ用アタッチメント５の上方より使用済みまたは新規のＩＣタグ１を嵌め込む状態を示している。
【００２８】
本発明の実施の形態で説明するＩＣタグ用アタッチメント５は、クレジットカード等に代表される標準的なカードサイズで、幅８５．６ｍｍ×長さ５３．９８ｍｍ×厚さ０．７６ｍｍものであり、また、ＩＣタグ１の形状寸法を、幅３３ｍｍ×長さ２３ｍｍとし、それぞれのＩＣタグ１の片面または両面には印字の消去および再印字を繰り返して行うことのできるリライト層９が形成されているものである。リライト層９は、ロイコ式、白濁方式、磁気カプセル方式等種々の方式が選択可能である。
【００２９】
図２は、図１におけるＩＣタグ１およびＩＣタグ用アタッチメント５のＡＡ断面およびＢＢ断面の一例を示したものである。ＩＣタグ１左右の幅方向の両端面は、テーパ形状部７ａが施されており、同時に、これに対応する抜き穴部６ａの内壁面は、ＩＣタグ１の両端面に合致するよう同形状にテーパ形状部７１ａとされている。これら端面が加工された複数個のＩＣタグ１を抜き穴部６ａに上方より嵌め込み、さらにこれをカード用発行機１１にセットして発行処理を行う。
【００３０】
図１１は、非接触ＩＣタグの発行処理工程を示す模式図である。カード用発行機１１においては、コイルアンテナを介してＩＣチップへのデータ書き換えまたは書き込み、および、ＩＣタグ１表面への印字消去および再印字を行う。本実施の形態においては、図１１に示すように、既に印字された状態、具体的には「ルビー」、「ダイヤモンド」、「プラチナ」の各々の文字およびバーコードが印字された使用済みのＩＣタグ１を用いた場合で説明しているが、データ未書き込みで未印字である新規のＩＣタグ１を発行処理する場合も同様である。
【００３１】
ＩＣタグ１が嵌め込まれたＩＣタグ用アタッチメント５の搬送、位置決めおよび印字の際、嵌め込まれたＩＣタグ１には上面からの抑え圧力や印字圧が加わる。しかし、ＩＣタグ１の両端面およびＩＣタグ用アタッチメント５の抜き穴部６ａの内壁面は、テーパ形状部７ａとされているので、所定の圧力が上面より加わったとしてもＩＣタグ１が抜き穴部６ａから脱落することはない。
【００３２】
また、ＩＣタグ１の両端面とＩＣタグ用アタッチメント５の抜き穴部６ａの内壁面との嵌合部形状は、発行処理時の抑え圧力や印字圧に抗するものであり、かつ人的押し圧力でＩＣタグ１を抜差し可能な範囲のものであれば、基本的にどのような形態であってもよい。すなわち、一方が凸の突起形状部であって、他方が凹のくぼみ形状であれば、その形態および寸法は自由に設計可能である。
【００３３】
図３および図４は、非接触ＩＣタグおよびＩＣタグ用アタッチメントの具体例を示している。図３において、ＩＣタグ１左右の幅方向の両端面は「く」の字で凹のくぼみ形状部７ｃであり、ＩＣタグ用タッチメント５の抜き穴部６ａの内壁面は、その凹形状に対応した逆「く」の字で凸の突起形状部７１ｃのものである。また、図４に示した構成例は、図３のＩＣタグ１の両端面とカード形状アタッチメント５の抜き穴部６ａの内壁面の形状が逆の場合のもので、ＩＣタグ１の両端面が逆「く」の字で凸の突起形状部７ｂであり、これに対応する抜き穴部６ａの内壁面は「く」の字で凹のくぼみ形状部７ｃのものである。
【００３４】
上述の構成により、ＩＣタグ１は、ＩＣタグ用アタッチメント５の抜き穴部６ａに合致して嵌合されるので、発行処理の際、所定の圧力が上面より加わったとしてもＩＣタグ１が抜き穴部６ａから脱落することはない。また、ＩＣタグ１およびＩＣタグ用アタッチメント５の構成材料は、ＩＣタグ１を人的押し圧力で抜差し可能な程度に十分な弾性を有しているので、ＩＣタグ１を抜差しする際、その端面および抜き穴部６ａの内壁面の突出部分が破損することはない。
【００３５】
そして、これらのＩＣタグ１は、ＩＣタグ用アタッチメント５の抜き穴部６ａに上方または下方より嵌め込まれ、さらに、カード用発行機１１にセットされ、ＩＣチップ３のデータ書き換え、および再印字、具体的には、「真珠」、「エメラルド」、「キャッツアイ」の各々の文字およびバーコードに書き換える。その後、カード形状アタッチメント５からＩＣタグ１を上方または下方から抜き取り新規のＩＣタグ１として使用する。
【００３６】
（実施の形態２）
図５から図８までは、本発明の実施の形態２によるＩＣタグ１およびＩＣタグ用アタッチメント５の他の例を示す説明図である。
【００３７】
図５において、ＩＣタグ用アタッチメント５の長さ方向端部には、ＩＣタグ１と同形状の切り込み部６ｂが２箇所形成され、ＩＣタグ１はＩＣタグ用アタッチメント５の切り込み部６ｂに対して水平に抜差し可能な構成としている。さらに、実施の形態１の場合と同様に、ＩＣタグ１左右の幅方向の両端面およびそれに対応するＩＣタグ用アタッチメント５の切り込み部６ｂの内壁面は、図６に示すようなテーパ形状部７ａの形状に、また、図７および図８に示すような「く」の字または逆「く」の字に加工した、くぼみ形状部７１ｆ、突起形状部７ｆとすることにより、ＩＣタグ１はＩＣタグ用アタッチメント５の切り込み部６ｂに合致して嵌合されるので、発行処理の際、所定値以上の圧力が上面より加わったとしてもＩＣタグが切り込み部から脱落することはない。
【００３８】
そして、ＩＣチップ３のデータ書き換えおよび再印字後、ＩＣタグ用アタッチメント５からＩＣタグ１を水平方向に抜き取り、新規のＩＣタグ１として使用する。
【００３９】
上述した実施の形態においては、ＩＣタグ用アタッチメント５一枚につき３個取りまたは２個取りの抜き穴部６ａもしくは切り込み部６ｂの場合について述べたが、これに限らず、抜き穴部６ａもしくは切り込み部６ｂは、タグの形状寸法に合わせ任意の取り数および任意の配置で設定可能であり、また、異種のタグを混在させるようにして配置してもかまわない。
【００４０】
さらに、ＩＣタグ１の端面の加工もＩＣタグ１左右の幅方向のみに限定されず、ＩＣタグ１前後の長さ方向の端面についても適用可能である。さらに、ＩＣタグ１の端面およびＩＣタグ用アタッチメント５の抜き穴部６ａまたは切り込み部６ｂの内壁面の嵌合形状も「く」の字あるいは逆「く」の字形状、テーパ状に限定されず、直線形状でなく曲線形状で良く、一方が突起形状部７ｂで、他方がくぼみ形状部７ｃの凸凹嵌合の組合せであれば、いかなる形態であってもかまわない。
【図面の簡単な説明】
【００４１】
【図１】本発明の実施の形態１における非接触ＩＣタグおよびＩＣタグ用アタッチメントの構成を示す上部平面図。
【図２】本発明の実施の形態１における非接触ＩＣタグおよびＩＣタグ用アタッチメントのＡＡ断面およびＢＢ断面の例を示す斜視図。
【図３】本発明の実施の形態１における非接触ＩＣタグおよびＩＣタグ用アタッチメントのＡＡ断面およびＢＢ断面の他の例を示す斜視図。
【図４】本発明の実施の形態１における非接触ＩＣタグおよびＩＣタグ用アタッチメントのＡＡ断面およびＢＢ断面の他の例を示す斜視図。
【図５】本発明の実施の形態２における非接触ＩＣタグおよびＩＣタグ用アタッチメントの構成を示す上部平面図。
【図６】本発明の実施の形態２における非接触ＩＣタグおよびＩＣタグ用アタッチメントの例を示す斜視図。
【図７】本発明の実施の形態２における非接触ＩＣタグおよびＩＣタグ用アタッチメントの他の例を示す斜視図。
【図８】本発明の実施の形態２における非接触ＩＣタグおよびＩＣタグ用アタッチメントの他の実施例を示す斜視図。
【図９】従来の非接触ＩＣタグおよびＩＣタグ用アタッチメントのＡＡ断面およびＢＢ断面の例を示す斜視図。
【図１０】従来または本発明の非接触ＩＣタグの構成を示す平面図。
【図１１】先行技術または本発明の実施の形態による非接触ＩＣタグの発行処理工程を示す模式図。
【符号の説明】
【００４２】
１    ＩＣタグ
２    アンテナコイル
３    ＩＣチップ
４    タグ要素
５    ＩＣタグ用アタッチメント
６ａ    抜き穴部
６ｂ    切り込み部
７ａ，７ｄ，７１ａ，７１ｄ    テーパ形状部
７ｂ，７ｆ，７１ｃ，７１ｅ    突起形状部（凸部）
７ｃ，７ｅ，７１ｂ，７１ｆ    くぼみ形状部（凹部）
８    印字部
９    リライト層
１０    嵌め込み方向または抜き取り方向
１１    カード用発行機
【図１】
2005107834.tif 000003
【図２】
2005107834.tif 000004
【図３】
2005107834.tif 000005
【図４】
2005107834.tif 000006
【図５】
2005107834.tif 000007
【図６】
2005107834.tif 000008
【図７】
2005107834.tif 000009
【図８】
2005107834.tif 000010
【図９】
2005107834.tif 000011
【図１０】
2005107834.tif 000012
【図１１】
2005107834.tif 000013